(57)【要約】【課題】鉄筋を載置したときの安定性が高く、鉄筋を載置したままでの位置調整も容易で、さらに鉄筋を電気的に絶縁して錆を発生しにくくすることのできる基礎型枠支持具を提供する。【解決手段】本発明の基礎型枠支持具１Ａは、台座２１に立設された一対のボルト状脚部２２に位置調整用ナット２３が螺着され、上面に絶縁シート２５を重合してなる鉄筋支持体２４が両脚部２２に挿装されて鉄筋Ｓを支持する。両脚部２２にはさらに筒状のホルダ２６が挿装され、その上に長孔を有する型枠パネル支持体２７が挿装されて、固定用ナット２８により固定される。型枠パネル支持体２７の張出部２７２には型枠パネル支持片２７３が設けられて、ここに型枠パネルＰが載置される。【選択図】図２
2005200888.tif 000002
【特許請求の範囲】
【請求項１】
台座に立設された一対のボルト状脚部に、それぞれ位置調整用ナットが螺着され、上記各脚部を挿通可能な通孔を有する鉄筋支持体が、上記両脚部に挿装されて上記位置調整用ナット上に載架され、上記鉄筋支持体の上面に合成樹脂または合成ゴムからなる絶縁シートが重合されてなり、
上記各脚部における鉄筋支持体よりも上方の位置に、それぞれ筒状のホルダが挿装され、上記各脚部を挿通可能な長孔を有する型枠パネル支持体が、上記両脚部に挿装されて上記ホルダ上に載架され、その上方から固定用ナットが脚部に螺着されて、
上記位置調整用ナット及び固定用ナットの操作により、上記鉄筋支持体及び型枠パネル支持体が脚部に沿って昇降自在となされたことを特徴とする基礎型枠支持具。
【請求項２】
台座に立設された一対のボルト状脚部に、それぞれ位置調整用ナットが螺着され、上記各脚部を挿通可能な長孔を有する鉄筋支持体が、上記両脚部に挿装されて上記位置調整用ナット上に載架され、その上方から固定用ナットが脚部に螺着されるとともに、上記鉄筋支持体の上面に合成樹脂または合成ゴムからなる絶縁シートが重合され、上記鉄筋支持体の両端部に、略門形に折曲された棒材からなる型枠パネル支持体が立設されて、
上記位置調整用ナット及び固定用ナットの操作により、上記鉄筋支持体及び型枠パネル支持体が脚部に沿って昇降自在となされたことを特徴とする基礎型枠支持具。
【請求項３】
型枠パネル支持体の上面に型枠パネル支持片が設けられたことを特徴とする請求項１または２記載の基礎型枠支持具。
【発明の詳細な説明】
【技術分野】
【０００１】
本発明は、基礎コンクリート型枠を基礎下地面上の所定位置に正確に保持するための基礎型枠支持具に関する。
【背景技術】
【０００２】
建物の基礎は躯体全体の施工精度を左右する部分であるから、基礎型枠にも高い建て込み精度が要求される。割栗石や捨てコンクリート等によって地業の施された基礎下地面の上に、基礎の配筋と型枠パネルを保持し、それらを正確に位置決めするための支持具としては、従来より、特許文献１〜２等に記載されたようなものが知られている。
【０００３】
図５は、特許文献１に記載された基礎型枠支持具である。この基礎型枠支持具９Ａは、鋼管をコ字状に折曲して脚片９１を取り付け、両側部を上向きに立ち上げた下金具９２と、この下金具９２に上方から挿入される上金具９３とを備えている。上金具９３の中央部分は略Ｖ字状に折曲されて、この中央部分に鉄筋（基礎配筋の下主筋）Ｓが載置され、上金具９３の両肩部分に型枠パネルＰが載置される。上金具９３の両側部には雄ネジが形成されてナット９４が螺着され、このナット９４を操作することにより、上金具９３の取付高さを調節することができるようになっている。
【０００４】
図６は、特許文献２に記載された基礎型枠支持具である。この基礎型枠支持具９Ｂは、ベース体９５に左右一対のネジ軸９６を立設して、このネジ軸９６に大径の円板状ナット９７を螺着し、中央部がコ字状に折曲された下支持体９８と、左右に直線状に延びる上支持体９９とを、ネジ軸９６に挿装させて円板状ナット９７の上に取り付けたもので、下支持体９８の中央部分に鉄筋Ｓが載置され、上支持体９９の両肩部分に型枠パネルＰが載置されて、円板状ナット９７の操作により下支持体９８及び上支持体９９の高さが調節される。
【特許文献１】実開昭５７−９７０５４号公報
【特許文献２】実開平４−１０８７４９号公報
【発明の開示】
【発明が解決しようとする課題】
【０００５】
基礎型枠に組み込まれる鉄筋は、通常、上下の主筋や副筋、あばら筋等を予めユニット状に組み立てて基礎型枠支持具に載置されるが、かかる鉄筋ユニットは重量も非常に大きくなる。このような鉄筋ユニットを基礎型枠支持具上に据え付け、さらに型枠パネルも建て込んでから、それらの位置を基礎の幅方向に微調整したい場合、上記従来のような基礎型枠支持具では、基礎型枠支持具自体を鉄筋ユニットや型枠パネルとともに基礎下地面に沿って移動させるしかないので、鉄筋ユニットや型枠パネルの重量が負担になって、位置調整作業がきわめて困難になる。
【０００６】
また、上記特許文献２記載の基礎型枠支持具のように、長く立ち上げたネジ軸の上方に下支持体を取り付けて、その支持位置よりも低い位置で重量の大きな鉄筋ユニットを受けるような構造では、ネジ軸に大きな曲げ荷重が作用して基礎型枠支持具の安定性が損なわれ、鉄筋ユニットを載置する際に基礎型枠支持具が倒れてしまうおそれがある。
【０００７】
また、上記従来の基礎型枠支持具は、鉄筋が上金具や下支持体に直接接触しているので、金属部分を介して鉄筋が基礎下地面と電気的に導通しており、したがって電気的には、鉄筋に対するコンクリートの被り厚さが全く確保されないことになる。すると、鉄筋に錆が発生しやすくなって、基礎の強度や耐久性が低減されるおそれがある。
【０００８】
本発明は上記のような着眼点からなされたもので、鉄筋ユニットを載置したときの安定性が高く、鉄筋ユニットを載置したままでの位置調整も容易で、さらに鉄筋を電気的に絶縁して錆を発生しにくくすることのできる基礎型枠支持具を提供するものである。
【課題を解決するための手段】
【０００９】
上記した目的を達成するため、本発明の基礎型枠支持具の第一の構成は、台座に立設された一対のボルト状脚部に、それぞれ位置調整用ナットが螺着され、上記各脚部を挿通可能な通孔を有する鉄筋支持体が、上記両脚部に挿装されて上記位置調整用ナット上に載架され、上記鉄筋支持体の上面に合成樹脂または合成ゴムからなる絶縁シートが重合されてなり、上記各脚部における鉄筋支持体よりも上方の位置に、それぞれ筒状のホルダが挿装され、上記各脚部を挿通可能な長孔を有する型枠パネル支持体が、上記両脚部に挿装されて上記ホルダ上に載架され、その上方から固定用ナットが脚部に螺着されて、上記位置調整用ナット及び固定用ナットの操作により、上記鉄筋支持体及び型枠パネル支持体が脚部に沿って昇降自在となされたことを特徴とする。
【００１０】
また、本発明の基礎型枠支持具の第二の構成は、台座に立設された一対のボルト状脚部に、それぞれ位置調整用ナットが螺着され、上記各脚部を挿通可能な長孔を有する鉄筋支持体が、上記両脚部に挿装されて上記位置調整用ナット上に載架され、その上方から固定用ナットが脚部に螺着されるとともに、上記鉄筋支持体の上面に合成樹脂または合成ゴムからなる絶縁シートが重合され、上記鉄筋支持体の両端部に、略門形に折曲された棒材からなる型枠パネル支持体が立設されて、上記位置調整用ナット及び固定用ナットの操作により、上記鉄筋支持体及び型枠パネル支持体が脚部に沿って昇降自在となされたことを特徴とする。
【００１１】
さらに本発明の基礎型枠支持具は、上記第一または第二の構成に係る基礎型枠支持具において、型枠パネル支持体の上面に型枠パネル支持片が設けられたことを特徴とする。
【発明の効果】
【００１２】
上述のように構成される本発明の基礎型枠支持具は、ボルト状の脚部に螺着した位置調整用ナットの上に鉄筋支持体が取り付けられて、その上面で鉄筋を受けるように構成されている。したがって、鉄筋の最下部と位置調整用ナットの高さがほぼ等しくなり、脚部に大きな曲げ荷重が作用するのを回避して、基礎型枠支持具の安定性を高めることができる。
【００１３】
また、請求項１の構成に係る型枠パネル支持体、及び請求項２の構成に係る鉄筋支持体には、それぞれ脚部を挿通可能な長孔が形成されているので、この基礎型枠支持具の上に鉄筋ユニットや型枠パネルを据え付けてからでも、型枠パネル支持体または鉄筋支持体を長孔に沿って移動させることにより、鉄筋ユニット及び型枠パネルの位置調整作業を容易に行うことができる。
【００１４】
さらに、本発明の基礎型枠支持具は、鉄筋支持体の上面に合成樹脂または合成ゴムからなる絶縁シートが重合されているので、鉄筋と基礎下地面との間を電気的に絶縁して、鉄筋の防錆効果を高めることができる。
【００１５】
また、型枠パネル支持体の上面に型枠パネル支持片が設けられることにより、型枠パネルの位置決めが容易になり、型枠パネルの支持状態も安定する。
【発明を実施するための最良の形態】
【００１６】
以下、本発明の実施の形態について図を参照して説明する。
【実施例１】
【００１７】
図１〜図２は本発明の第一実施例を示す。図１は基礎型枠支持具の分解斜視図であり、図２は基礎型枠支持具の使用状態を示す側面図である。
【００１８】
この基礎型枠支持具１Ａは、台座２１に立設された一対の脚部２２に、位置調整用ナット２３、鉄筋支持体２４、絶縁シート２５、ホルダ２６、型枠パネル支持体２７、固定用ナット２８を取り付けて構成される。台座２１は、基礎下地面Ｆ上に安定的に載置されうるものであれば特にその形態は問わないが、例示の形態では、矩形の鋼板の長辺側縁部に補強用のリブを上向きに形成した部材を利用している。
【００１９】
脚部２２は、寸切りボルトからなり、台座２１の長辺方向（基礎の幅方向）に適宜の間隔を設けて配置され、脚部固定用のナット等を介して台座２１に固定されている。各脚部２２には、鉄筋支持体２４を支承するための位置調整用ナット２３が螺着され、適宜の高さに保持される。
【００２０】
鉄筋支持体２４は、例えば図示のような断面Ｌ形のアングルピースからなり、その両端部近傍に脚部２２を挿通可能な一対の通孔２４１が形成されている。この鉄筋支持体２４は、頂面が平坦になるよう、リブを下に向けて脚部２２に挿装され、位置調整用ナット２３上に載架される。鉄筋支持体２４の上面には、合成樹脂または合成ゴムからなる絶縁シート２５が貼着されている。
【００２１】
両脚部２２における鉄筋支持体２４よりも上方に突出した部分には、例えば筒状の鋼製パイプ等からなるホルダ２６が挿装されている。両ホルダ２６の長さは同じである。
【００２２】
型枠パネル支持体２７は、例えば図示のような両縁部にリブを有する断面溝形の鋼材からなり、鉄筋支持体２４よりも長く形成されている。型枠パネル支持体２７の中央部近傍には、脚部２２を挿通可能な位置に、長手方向（基礎の幅方向）に延びる長孔２７１が形成されている。例示の形態では、長孔２７１は、各脚部２２の位置に合わせて二箇所に分かれいるが、両略部２２を挿通させうるように一体に連続していてもよい。
【００２３】
この型枠パネル支持体２７は、リブを下に向けて脚部２２に挿装され、ホルダ２６上に載架されて、さらにその上方から脚部２２に固定用ナット２８を螺着して固定される。型枠パネル支持体２７おける両脚部２２よりも外側に張り出した部分（張出部２７２）には、型枠パネルＰの厚みや配置間隔と合致するように、上面の一部を切り起こして型枠パネル支持片２７３が形成されている。
【００２４】
この基礎型枠支持具１Ａの使用方法は以下の通りである。まず、台座２１に固定された両脚部２２に位置調整用ナット２３と鉄筋支持体２４を装着した状態で、台座２１を基礎下地面Ｆ上に載置する。そして、基礎の延設方向に適宜間隔で配置した複数個の基礎型枠支持具１Ａについて、すべての鉄筋支持体２４が基準の高さに、かつ水平となるように、、位置調整用ナット２３の高さを調整する。
【００２５】
次いで、鉄筋（鉄筋ユニットの下主筋）Ｓを鉄筋支持体２４に貼着された絶縁シート２５上に載置する。鉄筋Ｓの載置後に必要があれば、さらに位置調整用ナット２３を調整して、鉄筋Ｓのレベルを調整する。
【００２６】
鉄筋Ｓが正しく支持されたならば、各基礎型枠支持具１Ａの脚部２２にホルダ２６と型枠パネル支持体２７とを装着して、固定用ナット２８により固定する。そして、型枠パネル支持体２７の張出部２７２に型枠パネルＰを載置して、鉄筋Ｓとともに図示しない支保工等により支保する。これにより、型枠パネルＰも、所定の高さに支持される。
【００２７】
もし、この段階で、鉄筋Ｓ及び型枠パネルＰが基礎の通りに対して幅方向にずれている場合には、固定用ナット２８を緩め、型枠パネル支持体２７を長孔２７２に沿って基礎の幅方向に摺動させながら通りの調整を行う。鉄筋Ｓ及び型枠パネルＰが正しく設置されたならば、再度、固定用ナット２８を締着して型枠パネル支持体２７を固定する。
【実施例２】
【００２８】
図３〜図４は本発明の第二実施例を示す。図３は基礎型枠支持具の分解斜視図であり、図４は基礎型枠支持具の使用状態を示す側面図である。
【００２９】
この実施例に係る基礎型枠支持具１Ｂは、台座２１に立設された一対の脚部２２に、位置調整用ナット２３及び固定用ナット２８を介して鉄筋支持体２４が取り付けられ、この鉄筋支持体２４に型枠パネル支持体２７が取り付けられている。
【００３０】
台座２１は、第一実施例に係る基礎型枠支持具１Ａの台座２１と特に差異はなく、寸切りボルトからなる脚部２２も第一実施例と同様にして台座２１に立設されているが、脚部２２の配置間隔は第一実施例よりも広く、脚部２２の長さは第一実施例よりも短く形成されている。
鉄筋支持体２４は、第一実施例の型枠パネル支持体２７と同様の部材、つまり両縁部にリブを有する断面溝形の鋼材からなり、脚部２２を挿通可能な位置に、長手方向（基礎の幅方向）に延びる長孔２４２が形成されている。そして、リブを下に向けて脚部２２に挿装され、位置調整用ナット２３上に載架されて、さらにその上方から脚部２２に螺着した固定用ナット２８により固定される。鉄筋支持体２４の上面のうち、少なくとも鉄筋Ｓに接触する中央部近傍には、合成樹脂または合成ゴムからなる絶縁シート２５が貼着されている。
【００３１】
型枠パネル支持体２７は、例えば図示のような略門形に折曲された棒材からなり、鉄筋支持体２４の両端部の上面に、脚部２２を跨ぐようにして立設されている。型枠パネル支持体２７の頂面には、型枠パネルＰの厚み配置間隔と合致するように、型枠パネル支持片２７３が突設されている。
【００３２】
この基礎型枠支持具１Ｂの使用方法も、上記第一実施例に係る基礎型枠支持具１Ａとほぼ同様である。すなわち、両脚部２２に位置調整用ナット２３と鉄筋支持体２４を装着した状態で、台座２１を基礎下地面Ｆ上に載置し、鉄筋支持体２４の高さ及び水平を調整して、固定用ナット２８を締着する。そして、鉄筋Ｓを鉄筋支持体２４に貼着した絶縁シート２５上に載置する。続いて、型枠パネル支持体２７に型枠パネルＰを載置し、鉄筋Ｓとともに図示しない支保工等により支保する。鉄筋Ｓ及び型枠パネルＰが基礎の通りに対して幅方向にずれている場合には、固定用ナット２８を緩め、鉄筋支持体２４を長孔２４２に沿って基礎の幅方向に摺動させながら通りの調整を行う。これにより、鉄筋Ｓ及び型枠パネルＰが正しく支持される。
【図面の簡単な説明】
【００３３】
【図１】本発明の第一実施例に係る基礎型枠支持具の分解斜視図である。
【図２】本発明の第一実施例に係る基礎型枠支持具の使用状態を示す側面図である。
【図３】本発明の第二実施例に係る基礎型枠支持具の分解斜視図である。
【図４】本発明の第二実施例に係る基礎型枠支持具の使用状態を示す側面図である。
【図５】特許文献１に記載された従来の基礎型枠支持具の構成を示す斜視図である。
【図６】特許文献２に記載された従来の基礎型枠支持具の構成を示す斜視図である。
【符号の説明】
【００３４】
１Ａ    基礎型枠支持具
１Ｂ    基礎型枠支持具
２１    台座
２２    脚部
２３    位置調整用ナット
２４    鉄筋支持体
２４１  通孔
２４２  長孔
２５    絶縁シート
２６    ホルダ
２７    型枠パネル支持体
２７１  長孔
２７２  張出部
２７３  型枠パネル支持片
２８    固定用ナット
Ｆ      基礎下地面
Ｓ      鉄筋
Ｐ      型枠パネル
【図１】
2005200888.tif 000003
【図２】
2005200888.tif 000004
【図３】
2005200888.tif 000005
【図４】
2005200888.tif 000006
【図５】
2005200888.tif 000007
【図６】
2005200888.tif 000008